(57)【要約】【課題】いちいち飼い主の幇助を必要としなくとも、ペットが日常的、且つ自発的に爪研ぎをすることを奨励できるものとし、またコーナー壁など、建物内部に対して爪研ぎ盤を取り付けることが原因となるような汚れや傷付きを皆無とさせることができるようにする。【解決手段】爪研ぎ盤５の外周部を取り囲んで着脱自在な状態に嵌合保持する主枠２を有しており、この主枠２には、当該主枠２の下面を床面Ｆに接地させて保持させる平置きポジションと、主枠２を床面Ｆ上へ起立させて保持させる起立ポジションとの少なくとも２ポジションに切り換え可能にする脚体３が設けられている。【選択図】図１
2015123007.tif 000002
【特許請求の範囲】
【請求項１】
爪研ぎ盤の外周部を取り囲んで着脱自在な状態に嵌合保持する主枠を有しており、この主枠には、当該主枠の下面を床面に接地させて保持させる平置きポジションと、前記主枠を床面上へ起立させて保持させる起立ポジションとの少なくとも２ポジションに切り換え可能にする脚体が設けられていることを特徴とする爪研ぎ器。
【請求項２】
前記脚体は、前記２ポジションに加えて、前記主枠を床面から浮かせて保持させる高位ポジションと、前記主枠の一端側のみを床面から浮かせて保持させる傾斜ポジションとの切り換えを可能とされていることを特徴とする請求項１記載の爪研ぎ器。
【請求項３】
前記主枠は前後方向の方向性を特定可能な形状で形成されていると共に、前記脚体は前記主枠の前部寄りに設けられた前脚と前記主枠の後部寄りに設けられた後脚とに分配されており、前記主枠には起立ポジション時に後脚が床面に接地する反作用により主枠が逆向きに傾くのを阻止可能な方向へ突出する支脚が設けられていることを特徴とする請求項１又は請求項２記載の爪研ぎ器。
【請求項４】
前記主枠には前部寄りにペット頭部を表現した膨出部が形成されており、前記支脚がペットの尻尾を表現した形状に形成されていることを特徴とする請求項３記載の爪研ぎ器。
【請求項５】
前記主枠は前後方向の方向性を特定可能な形状で形成されていると共に、前記脚体は前記主枠の前部寄りに設けられた前脚と前記主枠の後部寄りに設けられた後脚とに分配されており、前記前脚は前記主枠を挟んで左右一対設けられ、各前脚には起立ポジション時において互いに対向する先端部内面側に対して面取部が形成されていることで出隅のコーナー壁等を跨る立て掛けを可能にしてあることを特徴とする請求項１乃至請求項４のいずれか１項に記載の爪研ぎ器。
【発明の詳細な説明】
【技術分野】
【０００１】
本発明は、猫などのペットが自発的に爪研ぎをするときに用いる爪研ぎ盤を、ペットの習性などに合わせて最適な姿勢に保持できるようにした爪研ぎ器に関する。
【背景技術】
【０００２】
爪研ぎ盤には、ダンボールを形成素材としたものや、松等の木材を形成素材としたもの等が知られている。ダンボール製の爪研ぎ盤は、ダンボール中のハニカム構造が表裏両面（研ぎ面）に現れるようにして長方形の盤体に形成されたものであって、その使用に際しては、爪研ぎ盤の外周部を取り囲む箱形の爪研ぎ器を用いて、爪研ぎ盤の表面が水平となるように床面に平置きすることが主流となっている（例えば、特許文献１等参照）。
【０００３】
一方、木製の爪研ぎ盤では、その表面が垂直となるようにして、建物内に生じている出隅（凸側）のコーナー壁等に粘着テープで直接的に（爪研ぎ器を使用しないで）取り付けることがある(例えば、特許文献２等参照)。
【先行技術文献】
【特許文献】
【０００４】
【特許文献１】実用新案登録第３０７２２５０号公報
【特許文献２】実開平６−２３４４１号公報
【発明の概要】
【発明が解決しようとする課題】
【０００５】
爪研ぎ盤を平置き姿勢に保持するタイプの爪研ぎ器は、床面から爪研ぎ盤の表面（上面）までの保持高さが一義的であるため、品種や成長期の違いによって体格の異なるペットごとに、使用し易かったり使用し難かったりする。品種の違いが原因で使用し難い場合であれば、爪研ぎ器の購入時に適合するサイズのもの（爪研ぎ盤の表面高さが適切に合うもの）を選べばよいことになる。しかし、ペットの成長が原因で使用し難い時期が生じた場合には、その都度（ペット又は飼い主が爪研ぎの必要を感じたとき）、いちいち飼い主がペットを爪研ぎ盤の表面に乗せてやる手間が必要になってしまう。
【０００６】
なお、爪研ぎ盤の表面高さが高すぎる場合は、飼い主による幇助で解決できるとしても、表面高さが低すぎる場合は、ペットが爪研ぎ盤の上に乗ること自体を嫌うようになることがある。殊に、爪研ぎ盤の表面が水平であることが、ペットがいだく嫌悪感に拍車をかけることもある。これらの場合には対処ができないために、ペットの成長に合わせて爪研ぎ器自体を大型サイズのものへ買い直す必要が生じていた。
【０００７】
一方、爪研ぎ盤をコーナー壁等へ直接的に貼り付けた場合は、ペットが高所へ登ろうとする本能や、ペットが壁に前脚を掛けて背伸びをする本能などにうまく合致して、ペットが自発的に爪研ぎを行うようになる。ここにペットの体格の問題はあまり生ずることはない。しかしながら、爪研ぎ盤をコーナー壁等に取り付ける際に粘着テープを使用するために、コーナー壁等を粘着テープのノリ成分で汚すという問題があった。なお、粘着テープでは強度的に充分でなく、また爪研ぎ盤の交換が面倒になるために、爪研ぎ盤を釘止めしたりネジ止めしたりすることもあったが、それによってコーナー壁等には、汚れどころか、傷がついてしまう問題に発展する。
【０００８】
本発明は、上記事情に鑑みてなされたものであって、いちいち飼い主の幇助を必要としなくとも、ペットが日常的、且つ自発的に爪研ぎをすることを奨励できるものとし、またコーナー壁など、建物内部に対して爪研ぎ盤を取り付けることが原因となるような汚れや傷付きを皆無とさせることができるようにした新規な爪研ぎ器を提供することを目的とする。
【課題を解決するための手段】
【０００９】
前記目的を達成するために、本発明は次の手段を講じた。
即ち、本発明に係る爪研ぎ器は、爪研ぎ盤の外周部を取り囲んで着脱自在な状態に嵌合保持する主枠を有しており、この主枠には、当該主枠の下面を床面に接地させて保持させる平置きポジションと、前記主枠を床面上へ起立させて保持させる起立ポジションとの少
なくとも２ポジションに切り換え可能にする脚体が設けられていることを特徴とする。
【００１０】
前記脚体は、前記２ポジションに加えて、前記主枠を床面から浮かせて保持させる高位ポジションと、前記主枠の一端側のみを床面から浮かせて保持させる傾斜ポジションとの切り換えを可能とされたものとするのがよい。
前記主枠は前後方向の方向性を特定可能な形状で形成されていると共に、前記脚体は前記主枠の前部寄りに設けられた前脚と前記主枠の後部寄りに設けられた後脚とに分配されており、前記主枠には起立ポジション時に後脚が床面に接地する反作用により主枠が逆向きに傾くのを阻止可能な方向へ突出する支脚が設けられたものとするのが好適である。
【００１１】
この場合、前記主枠には前部寄りにペット頭部を表現した膨出部が形成されており、前記支脚がペットの尻尾を表現した形状に形成されたものとすることができる。
前記主枠は前後方向の方向性を特定可能な形状で形成されていると共に、前記脚体は前記主枠の前部寄りに設けられた前脚と前記主枠の後部寄りに設けられた後脚とに分配されており、前記前脚は前記主枠を挟んで左右一対設けられ、各前脚には起立ポジション時において互いに対向する先端部内面側に対して面取部が形成されていることで出隅のコーナー壁等を跨る立て掛けを可能にしたものとするのが好適である。
【発明の効果】
【００１２】
本発明に係る爪研ぎ器は、いちいち飼い主の幇助を必要としなくとも、ペットが日常的、且つ自発的に爪研ぎをすることを奨励できるものとなっており、またコーナー壁など、建物内部に対して爪研ぎ盤を取り付けることが原因となるような汚れや傷付きを皆無とさせることができるようなっている。
【図面の簡単な説明】
【００１３】
【図１】本発明に係る爪研ぎ器を示した斜視図である。
【図２】本発明に係る爪研ぎ器の側断面図である。
【図３】本発明に係る爪研ぎ器の平面図である。
【図４】本発明に係る爪研ぎ器に用いられる脚体のうち右前脚として採用したものを示しており（Ａ）は側面図であり（Ｂ）は平面図である。
【図５】本発明に係る爪研ぎ器の使用状況を示した側面図であって（Ａ）は主枠の平置きポジションであり（Ｂ）は主枠の傾斜ポジションである。
【図６】本発明に係る爪研ぎ器の使用状況を示した側面図であって（Ａ）は主枠の高位ポジションであり（Ｂ）は第２の高位ポジションである。
【図７】本発明に係る爪研ぎ器の使用状況を示した側面図であって（Ａ）は起立ポジションであり（Ｂ）は第２の起立ポジションである。
【図８】図７（Ａ）のＡ−Ａ線矢視図である。
【発明を実施するための形態】
【００１４】
以下、本発明の実施の形態を、図面に基づき説明する。
図１乃至図８は、本発明に係る爪研ぎ器１を示している。本発明に係る爪研ぎ器１は、主枠２と、この主枠２に設けられた脚体３とを有している。なお、これら主枠２や脚体３の形成素材は特に限定されるものではなく、木材をはじめ、樹脂や金属等により形成することができる。
【００１５】
本実施形態において保持対象とする爪研ぎ盤５は、長方形の盤体に形成されたダンボール製のものとした。従って、この爪研ぎ盤５の表裏両面には、ダンボール中のハニカム構造が現れる状態となった研ぎ面が形成されている（表裏を反転させることで両面が使用可能である）ことになる。ダンボールは、複数枚を積層させるように使用してもよい。
主枠２は、爪研ぎ盤５を嵌め入れ可能な枠形状に形成されたものである。本実施形態では爪研ぎ盤５が長方形の盤体であることから、この主枠２も、一対の長辺桟６，６と一対の短辺桟７，７とを連結して長方形の枠形状に形成されたものとしてある。従って、この主枠２に爪研ぎ盤５を嵌め入れると、爪研ぎ盤５の外周部を取り囲んで保持するようになっている。主枠２の枠内は、爪研ぎ盤５の平面大きさと略同等か、又は若干大きく形成されており、枠内に嵌めた爪研ぎ盤５が大きくガタツクことがないようにしてある。なお、爪研ぎ盤５の着脱が容易に行えるように、爪研ぎ盤５の外周面との周間に小さな隙間が生
じるようにしてもよい。
【００１６】
長辺桟６，６及び短辺桟７，７には、枠形状の内周部で一周するような筋彫り部を設けてあり、この筋彫り部に底板８の外縁部を差し込むようにして、主枠２内をこの底板８で閉鎖（非貫通状態化）してある。従って、主枠２の枠内に嵌め込まれた爪研ぎ盤５は、この底板８によって支承され、落下することはない。また、ペットが爪研ぎ盤５の表面で爪研ぎをしたときに発生するダンボール滓等は、爪研ぎ盤５の内部を介して落下したとしても底板８上で受け止められ、主枠２の下方へ散逸することはない。
【００１７】
本実施形態では、主枠２が、長方形の一端側（図２及び図３の左側）を前部、他端側（図２及び図３の右側）を後部として前後方向の方向性を特定することのできる形状に形成されたものとしている。前後方向の特定は、主枠２の前部寄りで上方（爪研ぎ盤５を保持したときに爪研ぎ盤５の表面が向く方向であって、図２の上方を言う）へ向けて膨出する膨出部１０を形成し、また後部寄りに、同じように上方へ突出する支脚１１を形成することによって行ってある。
【００１８】
前部の膨出部１０はペット頭部（図例では猫の頭部とした）を表現した形状としてあり、後部の支脚１１はペットの尻尾を表現した形状としてある。
支脚１１は、主枠２をその後部が下となるように起立させるときに接地可能なものとしてあり（図７参照）、この接地によって起立面積を拡大して安定性を高める作用が得られるものとしてある。
【００１９】
脚体３は、主枠２の前部寄りに設けられた前脚１２と、主枠２の後部寄りに設けられた後脚１３とに分配されている。これら前脚１２及び後脚１３は、いずれも主枠２の長辺桟６，６を挟んでその左右外側に振り分けられるようにして左右一対設けられている。図４は右の前脚１２を示している。この前脚１２には、主枠２に取り付けられる側の端部に、取付ボルト１６（図１及び図３参照）を差し込むための取付孔１５が形成されている。前脚１２は、この取付孔１５へ差し込む１本の取付ボルト１６により主枠２（長辺桟６）に取り付けられるようになっている。そのため、主枠２に対して容易に着脱が行える。
【００２０】
左の前脚１２については、後述する段差部１８の当接面１９が傾斜角を相対逆向きとなるように、右の前脚１２とは左右対称形としてある。また、後脚１３についても、主枠２に対する取付構造は前脚１２と略同じであり、取付孔１５が形成されたものとなっている。
これら前脚１２及び後脚１３は、主枠２の保持状態を次の４ポジションに切り換えられるように、主枠２に対する取付角を変更できるようになっている。本実施形態では、取付ボルト１６を緩めて前脚１２や後脚１３の取付角を変更させたり、場合によっては取付ボルト１６を引き抜いて前脚１２や後脚１３を一旦、主枠２から取り外し、次に取り付けるときにそれらの取付角を変更させたりする方法（構造）を採用している。
【００２１】
第１のポジションは、図５（Ａ）に示すように、主枠２の下面を床面Ｆに接地させて保持させる平置きポジションである。この平置きポジションのとき、前脚１２は先端部を後方へ向けて主枠２の側面に沿わせるような取付角で取り付けてもよいし、或いは二点鎖線で示すように、先端部を主枠２から前方へ伸ばすような取付角で取り付けてもよい。また、後脚１３は、その先端部を前方（後方でもよい）へ伸ばすような取付角にする。
【００２２】
第２のポジションは、図５（Ｂ）に示すように、主枠２の一端側のみを床面Ｆから浮かせて保持させる傾斜ポジションである。この傾斜ポジションのとき、主枠２に対して前脚１２のみ下方へ突き出させる角度にして、その先端部を床面Ｆに接地させる。これにより、主枠２は前上がりとなる。後脚１３については、主枠２の傾きに合わせて後脚１３全体が床面Ｆに当接するように（馴染むように）角度調節してもよい。
【００２３】
なお、図示は省略するが、前脚１２に代えて後脚１３のみを主枠２の下方へ突き出させるようにしてもよい。言うまでもなく、この場合は主枠２が前下がりとなる。
第３のポジションは、図６（Ａ）や図６（Ｂ）に示すように、主枠２を床面Ｆから浮かせて保持させる高位ポジションである。この高位ポジションのときは、前脚１２だけでなく、後脚１３についても主枠２の下方へ突き出させる角度にして、その先端部を床面Ｆに接地させる。図６（Ａ）に示すように、主枠２に対して前脚１２と後脚１３とを同じ取付
角にして平行にさせてもよいし、図６（Ｂ）に示すように、前脚１２と後脚１３とを相対逆向きの取付角にして「ハ」字状となるようにしてもよい。
【００２４】
そして第４のポジションは、図７（Ａ）（Ｂ）に示すように、主枠２を床面Ｆ上へ起立させて保持させる起立ポジションである。この起立ポジションとする場合は、建物内の壁等、起立した物体に対して主枠２を立て掛けるようにするとよい。そして、起立した物体を、図７（Ａ）及び図８に示すように出隅（凸側）のコーナー壁等とする場合には、前脚１２及び後脚１３を図６（Ａ）で示した高位ポイション時の取付角にしたまま、主枠２の後部を下にして立ち上がらせるようにする。このようにすることで、左右の前脚１２，１２でコーナー壁を跨るように立て掛ける。
【００２５】
これとは異なり、起立した物体を、図７（Ｂ）に示すように平坦な壁等とする場合には、前脚１２，１２は先端部を上方へ向けて壁面に沿わせるように角度調節するとよい。
図４に示すように、前脚１２には、取付孔１５の開口周部を他の部分よりも薄くすることで段差部１８を形成させてある。この段差部１８を形成することで、前脚１２の長手方向に対して傾斜した当接面１９を生じさせてある。この当接面１９は、前脚１２を主枠２の下方へ突き出させる角度で取り付けるときに、主枠２（長辺桟６）の下面に当接して、前脚１２が取付ボルト１６を中心に回転するのを阻止する。すなわち、回り止め作用を奏するものである。
【００２６】
この当接面１９を主枠２の下面に当接させたとき、前脚１２が主枠２の前方斜め下方へ傾く状態に取り付けられるようにしてある。なお、左右の前脚１２，１２間において、当接面１９の傾斜方向は相対逆向き（左右対称）である。
このように、前脚１２は、当接面１９により主枠２に対して回り止め作用を生じるようにしてあるため、図５（Ａ）に示す平置きポジションのとき、図６（Ａ）（Ｂ）に示す高位ポジションのとき、図７（Ａ）に示す起立ポジションのときに、それぞれ、主枠２の安定性を確保させることができる（前脚１２の回転で主枠２の保持姿勢が突然崩れるといった不具合はない）。
【００２７】
図示は省略したが、このような当接面１９は、左右の後脚１３，１３にもそれぞれ形成するのが好適である。後脚１３に対して当接面１９を形成することで、図７（Ａ）（Ｂ）に示す起立ポジションのときに建物内の壁等、起立した物体に対して主枠２を立て掛けた際に、主枠２は下端部が上端部よりも手前側へ出っ張るような斜め姿勢となり、この斜め姿勢が固定されることとなる。従って、主枠２で保持する爪研ぎ盤５に対してペットが強い押し圧を負荷させたときも、主枠２が倒れ難いという利点が得られる。
【００２８】
なお、図６（Ｂ）に示すように、後脚１３の取付角を前脚１２と相対逆向きにする場合は、左右の後脚１３を入れ換えるようにすればよい。また、図５（Ａ）（Ｂ）に示すように、後脚１３をその先端部が前方又は後方へ伸びるような取付角にする場合は、段差部１８が左右方向の外向きとなるようにして（当接面１９が主枠２と干渉しない向きにして）主枠２へ取り付ければよい。
【００２９】
また、前脚１２には、互いに対向する先端部内面側に対して面取部２０を形成するのが好適である。このように面取部２０を形成させておくと、主枠２を起立ポジションとさせて、図８に示すように出隅のコーナー壁に立て掛けたときに、前脚１２の先端部とコーナー壁の壁面との接触面が増える可能性がある（面取部２０が無ければエッジによる線接触となってしまう）。そのため、主枠２を起立ポジションとさせたときの安定性が高まる利点がある。また、主枠２を出隅のコーナー部に可及的に接近させて起立させることができため、この点でも主枠２を起立ポジションとさせたときの安定性が高まる利点がある。
【００３０】
加えて、主枠２に設けられた支脚１１は、起立ポジション時に後脚１３が床面Ｆに接地することの反作用により、主枠２が逆向きに傾くのを阻止する作用を奏することになるので、主枠２を起立ポジションとさせたときの安定性は一層高まる利点がある。
一般的に、コーナー壁は９０°の出隅角に形成されているので、面取部２０は４５°面取とするのが好適である。これにより、前脚１２の先端部とコーナー壁の各壁面との接触は面接触となる。また、左右の前脚１２，１２とコーナー壁の壁面との面接触に加え、主枠２の前部短辺桟７とコーナー壁の頂角との接触を可能にして、３点接触が可能になるた
め、主枠２の安定性を万全なものとできる。
【００３１】
なお、コーナー壁の二等分線に対して主枠２を左右非対称に立て掛けるようにしてもよいので、面取部２０は、左右の前脚１２，１２で合わせて非対称（左右合わせて９０°となればよい）となるようにしてもよい（例えば、左前脚１２の面取部２０を３０°とし右前脚１２の面取部２０を６０°とする等）。
以上詳説したところから明らかなように、本発明に係る爪研ぎ器１では、複数のポジションで主枠２を保持できるものであり、これによって爪研ぎ盤５の保持姿勢を簡単に変更できるので、いちいち飼い主の幇助を必要としなくとも、ペットが日常的、且つ自発的に爪研ぎをすることを奨励できるものである。また言うまでもなく、コーナー壁など、建物内部に対して粘着テープや釘、木ネジなどを用いる必要がないので、爪研ぎ盤５を取り付けることが原因となるような汚れや傷付きを皆無とさせることができる。
【００３２】
ところで、本発明は、前記実施形態に限定されるものではなく、実施の形態に応じて適宜変更可能である。
例えば、爪研ぎ盤５は、ダンボール製のものを利用することが限定されるものではなく、木製の板や皮、皮革材、無機質ボードなどとしてもよい。
また爪研ぎ盤５の平面形状は長方形とすることが限定されるものではなく、正方形をはじめとする種々の多角形や、円形、長円形、楕円形などとすることが可能である。そのため、主枠２についても、爪研ぎ盤５の平面形状に合わせるか、又は合わせないものとして、種々様々な枠形を採用可能となる。
【００３３】
主枠２において、底板８は必ずしも必要ではない。要は、爪研ぎ盤５が脱落しないような構造（係止爪など）を採用しておけばよい。
主枠２において、支持脚１１は、長辺桟６に一体的に設けることが限定されるものではなく、起立ポジションで下となる短辺桟７に対して設けることもできる。また、長辺桟６において、起立ポジションで下となる端部の左右方向外面に対して別体で形成した支持脚１１を取り付ける構造としてもよい。
【００３４】
主枠２の膨出部１０や支持脚１１の形状については何等限定されるものではなく、飼い主に向けたアピールやペットに向けたアピールとして好適なデザインや形状を採用し得るものである。場合によっては、これら膨出部１０や支持脚１１を省略することも可能である。
脚体３において、前脚１２に形成する面取部２０は面取角が限定されるわけではない。また、角面取の他、アール面取とすることも可能である。このような面取部２０は、後脚１３に対しても形成することができる。このようにすることで、前脚１２と後脚１３とを共通部品とすることができるので、部品点数の抑制に繋がり、低コスト化が図れるものとなる。
【００３５】
脚体３のうち、後脚１３については、左右方向に繋がった構造として形成することができる。
主枠２に対して、前脚１２や後脚１３の取付角を調節し、調節後の角度保持が可能となる角度調節機構（例えば取付ボルト１６の差し込み位置を中心としてそのまわりに凹凸係合箇所を複数設ける構造など）を採用することが可能であり、この角度調節機構の採用で、段差部１８や当接面１９の形成を省略することが可能となる。
【符号の説明】
【００３６】
１  爪研ぎ器
２  主枠
３  脚体
５  爪研ぎ盤
６  長辺桟
７  短辺桟
８  底板
１０  膨出部
１１  支脚
１２  前脚
１３  後脚
１５  取付孔
１６  取付ボルト
１８  段差部
１９  当接面
２０  面取部
Ｆ  床面
【図１】
2015123007.tif 000003
【図２】
2015123007.tif 000004
【図３】
2015123007.tif 000005
【図４】
2015123007.tif 000006
【図５】
2015123007.tif 000007
【図６】
2015123007.tif 000008
【図７】
2015123007.tif 000009
【図８】
2015123007.tif 000010